(57)【要約】【課題】釣竿を置き竿にする場合であっても回転や傾きが生ぜず、ボートや氷上という釣環境に左右されず、そして竿掛け等の用具を必要としない釣竿を提供する。【解決手段】竿杆の先端に穂先が取り付けられ、この竿杆に魚釣用リールが取付可能な釣竿であって、前記竿杆には、竿置き用のスタンドがその前後の少なくとも一方に設けられており、前記竿杆は、前記スタンドを用いて載置面に載置された状態で、前記載置面に対して略平行、もしくは、前記竿杆の前記穂先を取り付けた側がその反対側に対して高い位置、に保持される構成とする。【選択図】図１
2009082052.tif 000002
【特許請求の範囲】
【請求項１】
竿杆の先端に穂先が取り付けられ、この竿杆に魚釣用リールが取付可能な釣竿であって、
前記竿杆には、竿置き用のスタンドがその前後の少なくとも一方に設けられており、
前記竿杆は、前記スタンドを用いて載置面に載置された状態で、前記載置面に対して略平行、もしくは、前記竿杆の前記穂先を取り付けた側がその反対側に対して高い位置、に保持されることを特徴とする釣竿。
【請求項２】
前記スタンドは、前記竿杆の長手方向であって、取り付けられた魚釣用リール位置の前後の少なくとも一方に設けられていることを特徴とする請求項１に記載の釣竿。
【請求項３】
前記穂先は、薄肉扁平状に形成されており、
前記スタンドを用いて前記載置面に前記竿杆を載置したときに、前記穂先の薄肉扁平状部分の少なくとも一部が前記載置面に対して、略平行になることを特徴とする請求項１または２に記載の釣竿。
【請求項４】
前記竿杆の前記穂先側の一端には、着脱自在の上栓が設けられており、
前記スタンドの少なくとも一つは、この上栓に一体的に設けられていることを特徴とする請求項１から３のいずれかに記載の釣竿。
【請求項５】
前記竿杆の後端には、着脱自在の尻栓が設けられており、
前記スタンドの少なくとも一つは、この尻栓に一体的に設けられていることを特徴とする請求項１から４のいずれかに記載の釣竿。
【請求項６】
前記スタンドを用いて前記載置面に前記竿杆を載置したときに、前記竿杆は、前記魚釣用リールに設けられた操作ハンドルの回転を妨げない高さに保持されることを特徴とする請求項１から５のいずれかに記載の釣竿。
【請求項７】
前記スタンドの少なくとも一つは、前記載置面との当接面を有することを特徴とする請求項１から６のいずれかに記載の釣竿。
【発明の詳細な説明】
【技術分野】
【０００１】
本発明は、釣竿に関する。
【背景技術】
【０００２】
ワカサギは魚体が小さいことから魚信が小さく、また群れを成している。このことから、ワカサギ釣りは、繊細な穂先を有した特殊な竿が用いられ、極めて軽い錘を道糸の下端に取り付け、その上部に数本の釣り針を備えた仕掛けが多く用いられている（例えば、特許文献１第３図参照）。また、前記した群れを成すという特性から、ワカサギ釣りの熟練者は、前記仕掛けを備えた釣竿を一人が数本使用することが多い。
【０００３】
一方、ワカサギは、秋から冬にかけて、湖沼の中層部から底部に生息している。このことから、ワカサギ釣りは、山間の湖沼におけるボート釣や氷上の穴釣が主となっており、前記した数本の釣竿をボートの縁や氷上の穴の周りに置くような形態が多い。そして、魚がいるタナ（群れが生息する層）に仕掛けを投入するために、ワカサギ用釣竿には小型の魚釣用リールが備えられ、このリールによって仕掛けの水深位置が適宜調整されている。
【０００４】
最近では、ワカサギの微妙な魚信を楽しむ目的で、繊細な穂先の一形態として薄肉扁平断面を有する穂先が使われている（例えば、特許文献１第１図、第２図参照）。
また、ワカサギ釣と同様な釣りの形態（道具、仕掛け等）として、山間の湖沼でのボートによるヒメマス釣や、穏やかな内湾で行われるイカダ釣などがあり、微妙な魚信を楽しむ目的で、繊細な穂先を有した特殊な竿、仕掛けが用いられている。
【特許文献１】実開昭５１−６２４８９号公報
【発明の開示】
【発明が解決しようとする課題】
【０００５】
特許文献１の構成や、現在通常に販売されているワカサギ用、ヒメマス用、イカダ釣り用等の釣竿では、リールが取り付けられるとともに釣竿を握る部分である竿杆の断面は、握り易さを鑑みて、断面を円形に形成している。このような形態は、特許文献１の図３のように釣竿を常に持って釣を行う場合には良いが、前記したように、数本の釣竿を同時に使用して、何本かを置き竿とした場合、リールの重みによって釣竿が傾き、もしくは、回転し、特に前記した薄肉扁平断面を有する穂先では、微妙な魚信が取りづらくなる。
【０００６】
一方、この問題を解決するためには、別途竿置き用の竿掛けを準備すればよいが、釣行の携帯荷物が多くなり、また魚信に合わせる場合にも、竿掛けから釣竿を外すという手間が生じる。さらに、少なくともボートおよび氷上という釣竿を置く場所が異なることから、載置する面の状態に合わせた竿掛けが必要となってくる。
【０００７】
本発明は、前記課題を解決するためになされたものであり、釣竿を置き竿にする場合であっても回転や傾きが生ぜず、ボートや氷上という釣環境に左右されず、そして竿掛け等の用具を必要としない釣竿を提供することを目的とする。
【課題を解決するための手段】
【０００８】
前記課題を解決した本発明は、竿杆の先端に穂先が取り付けられ、この竿杆に魚釣用リールが取付可能な釣竿であって、前記竿杆には、竿置き用のスタンドがその前後の少なくとも一方に設けられており、前記竿杆は、前記スタンドを用いて載置面に載置された状態で、前記載置面に対して略平行、もしくは、前記竿杆の前記穂先を取り付けた側がその反対側に対して高い位置、に保持されることを特徴としている。
【０００９】
前記構成によれば、軽量な穂先を取り付けられた釣竿においては、重心位置はリールが取り付けられた竿杆にあり、この竿杆にスタンドを設けることによって、回転や傾きを生ずることなく、ボートの縁や氷上に釣竿をそのまま置くことができ、竿掛け等の用具を要しない。
【００１０】
前記スタンドは、前記竿杆の長手方向であって、取り付けられた魚釣用リール位置の前後の少なくとも一方に設けられていると好ましい。
【００１１】
前記構成によれば、釣竿の構成の中では重量物となる、竿杆に取り付けられる魚釣用リールの前後にスタンドを設けることによって、重量のバランスがとり易くなり、さらに安定して釣竿を置くことができる。
【００１２】
さらに、前記穂先が、薄肉扁平形状に形成されている釣竿においては、前記スタンドを用いて前記載置面に前記竿杆を載置したときに、前記穂先の薄肉扁平状部分の少なくとも一部が前記載置面に対して、略平行になるように構成することが好ましい。
【００１３】
前記構成によれば、穂先が、魚信をとるための撓みの方向性が限定されている薄肉扁平形状に形成されている場合に、釣竿をボートの縁や氷上に置いても水面に対する撓みの方向が変わらず、魚の微妙な魚信をとることができる。
【００１４】
前記竿杆の前記穂先側の一端に、着脱自在の上栓を設け、前記スタンドは、この上栓に一体的に設けるように構成することができる。
【００１５】
前記構成によれば、着脱自在な上栓に前記スタンドを一体的に設けることにより、例えば、ボートの縁の幅が変わる、もしくは段差がある等、ボートの縁の形態が変わったときでも、その形態に合致したスタンドを備えた上栓に交換することができる。
【００１６】
前記竿杆の後端に、着脱自在の尻栓を設け、前記スタンドは、この尻栓に一体的に設けるように構成することができる。
【００１７】
前記構成によれば、着脱自在な尻栓に前記スタンドを一体的に設けることにより、例えば、ボートの縁の幅が変わる、もしくは段差がある等、ボートの縁の形態が変わったときでも、その形態に合致したスタンドを備えた尻栓に交換することができる。
【００１８】
前記スタンドを用いて前記載置面に前記竿杆を載置したときに、前記竿杆が、前記魚釣用リールに設けられた操作ハンドルの回転を妨げない高さに保持されるように構成することができる。
【００１９】
前記構成によれば、前記スタンドを竿杆に取り付けることによって、魚釣用リールの操作を妨げることが無い。
【００２０】
前記スタンドは、前記載置面との当接面を有するように構成することができる。
【００２１】
前記構成によれば、より広い面積でスタンドが載置される面と当接するため、安定して釣竿を置くことができる。
【００２２】
前記当接面における前記載置面との当接部には、着脱自在な滑り止めが装着されているように構成することができる。
【００２３】
前記構成によれば、スタンドが載置される載置面の状態が異なった場合であっても、例えば、ボートの縁、氷上の場合であっても、着脱自在な滑り止めを交換することによって、安定して釣竿を置くことができる。
【００２４】
前記スタンドの少なくとも一つは、高さ方向に回動できる高さ調節手段を備えるように構成することができる。
【００２５】
前記構成によれば、例えば、ボート上で竿を置く平坦面に段差がある場合や、氷上で風等の強弱によって置き竿が安定しないときに、一方のスタンドを上下動させ、高さ方向を調節することによって、竿を安定して置くことができる。
【発明の効果】
【００２６】
本発明によれば、釣竿を置き竿にする場合であっても回転や傾きが生ぜず、ボートや氷上という釣環境に左右されず、そして竿掛け等の用具を必要としない釣竿を提供することができる。
【発明を実施するための最良の形態】
【００２７】
［第１実施形態］
本発明の第１実施形態に係る釣竿について、図面を参照して説明する。
なお、ワカサギ釣、ヒメマス釣及びイカダ釣の基本的な釣の形態（道具、仕掛け等）は同様であるため、以後の各実施形態の説明では、ワカサギ用釣竿の実施例について説明する。
図１は、本実施形態に係るスタンドを備えたワカサギ用釣竿の外観斜視図である。図２は、図１のＡ方向から見た背面図である。図３は、ボートの縁の断面にワカサギ用釣竿を置いた状態を表す側面説明図である。
【００２８】
本実施形態に係るワカサギ用釣竿１０は、竿杆１１と、この竿杆１１の先端に取り付けられガイド１５を備えた穂先部１２と、竿杆１１の後端にスタンドとしての後部スタンド１４とを有する。竿杆１１は、図１に示すように、断面が薄肉扁平形状の穂先部１２のガイド１５が取り付けられる面を上側となるように、その上面にリール取付部１８を備え、このリール取付部１８にリール１６が着脱自在に取り付けられる。リール１６には、釣糸２０が巻回されており、リール１６のハンドル１７を回転させることによって、ガイド１５に通され、竿の先端１９から水面に垂下した釣糸２０を巻き上げ、送り出しをすることができる。なお、図１では両軸受けのリールとしているが、リールの種類は特に限定されない。また、穂先についても、本実施形態では、薄肉扁平形状としているが、断面が円形である通常の穂先にも当然適用できる。
【００２９】
竿杆１１の後端には、後部スタンド１４が、竿杆１１と一体に設けられている。後部スタンド１４は、図１のＡ方向から見ると、図２に示すように、平らな下面を有する台形状であり、ハンドル１７を操作する際に支障とならない高さ及び幅で形成されている。後部スタンド１４が、載置面に当接する面には滑り止め２９が着脱自在に取り付けられており、ボートに突然の揺れ等が生じても、ワカサギ用釣竿１０を倒れにくくしている。また、竿杆１１には、竿杆１１の先端の穂先部１２が取り付けられる端面から後方側へ一定の幅を有した平坦部１３が形成されている（図１）。この平坦部１３においても滑り止めを取り付けることができる。この滑り止め２９には、例えば、天然ゴム、合成ゴムなどの材料を用いたり、載置面に凹凸を形成したりすることができ、竿を置く面の状況に応じて適宜選択される。
【００３０】
なお、竿杆１１は、軽量かつ強度を向上させるため、樹脂や繊維強化プラスティック（ＦＲＰ）等で円筒状に成形して製作することができ、このとき、中空部の開口が、竿杆１１の長尺方向の先端及び後端に生ずる。この開口には、樹脂製やゴム等の栓（それぞれ上栓２２もしくは尻栓２３）を嵌入することができ、前記した平坦部１３及び後部スタンド１４を、それぞれ上栓２２及び尻栓２３に形成し、竿杆１１の先端または後端に嵌入することによって、竿杆１１と一体的に構成することができる。
【００３１】
次に、図１〜図３を参照して、ボートの縁に置かれたワカサギ用釣竿１０について説明する。ワカサギ釣りの仕掛け２７は、図３に模式的に表されているように、釣糸２０の下端に錘２５を取り付け、錘２５の上部の釣糸２０に一定間隔で複数の釣針２６が取り付けられている。ただし、錘２５は軽く、繊細な魚信をとるために穂先部１２も先調子の極めて軽いものが使用される。また、釣り人から離れた地点に仕掛けを投入することは無く、ほぼ釣り人の直下の水中に仕掛けを投入することから、穂先部１２も短いものが使用される。
【００３２】
したがって、図３に示すように、竿の長尺方向の重心位置Ｇは、重量物であるリール１６が取り付けられた竿杆１１上に存在する。したがって、この重心位置Ｇの前後に支点を設け、竿杆１１を保持することによって、釣竿１０を安定して載置することができる。
【００３３】
平坦部１３及び後部スタンド１４は、図３に示すように、重心位置Ｇの前後に支点となるように設けられており、両者は、ボートの縁３０の平坦面に合わせた載置面を有している（図１参照）ことから、釣竿１０は、回転や傾きを生ぜず、安定して載置することができる。なお、平坦部１３は、さらに釣竿を安定して保持するために設けているものであり、水面の揺れがほとんどないような状態においては、後部スタンド１４のみで釣竿を安定させることができるため、平坦部を設けなくてもよい。
【００３４】
［第２実施形態］
次に、図を参照して、本発明の第２実施形態について説明する。図４は、氷上に置かれた本実施形態に係るワカサギ用釣竿の側面図である。なお、第１実施形態と重複する構成については省略し、差異のある部分について説明する。
【００３５】
本実施形態は、主に氷結した湖面などの氷上ワカサギ釣りをする場合に適用される。氷１３０の面は、平坦であり、かつ滑りやすい。そのため、本実施形態のワカサギ用釣竿１１０では、第１実施形態においては、後部に取り付けていたスタンドを上栓１２２側に取り付け、前部スタンド１２２としている。
このように構成することにより、通常は、穂先１２が引き上げられた状態の置き竿とすることができる一方、竿杆１１を手で持って魚信を楽しむことができる。
【００３６】
前部スタンド１２２及び尻栓１２３の氷と当接する部分は、氷１３０の載置面に対応する平坦部１１３、１１４とすることにより、接触面積が大きくなり、ワカサギ用釣竿１１０をさらに安定させることができる。もちろん、第１実施形態の説明で記載したように、この平坦部１１３，１１４の下面に滑り止めを装着することもできる。
【００３７】
［第３実施形態］
次に、図を参照して、本発明の第３実施形態について説明する。図５は、本実施形態に係るワカサギ用釣竿を図１のＡ方向から見た背面図である。なお、第１実施形態または第２実施形態と重複する構成については、説明を省略し、差異のある部分について説明する。
【００３８】
本実施形態のワカサギ用釣竿２１０は、図５（ａ）及び（ｂ）に示すように、スタンド足２１２が、尻栓２２３の後端にワカサギ用釣竿２１０の周方向に回転自在に取り付けられている。このスタンド足２１２には、尻栓２２３との取り付け部との反対側に、接地部２１３が回転自在に取り付けられている。
【００３９】
前記構成によれば、図３で示した第１実施形態のようにボート上で竿を置く平坦面に段差がある場合や、氷上で風等の強弱によって置き竿が安定しないときにでも、スタンド足２１２の両方もしくは一方を、（ｂ）の矢印方向に広げることによって、段差による高さの違いを吸収し、または、より安定した低い状態にすることができる。
そして、接地部２１３を、接地する面の傾きに合わせて回動させることで、載置面との当接をより安定させることができる。
なお、本実施例では、スタンド足を尻栓に取り付けているが、例えば、第２実施形態で示したように、氷上での釣の場合は、上栓側に一体的にスタンド足を取り付けることができることは言うまでもない。
【００４０】
［第４実施形態］
次に、図を参照して、本発明の第４実施形態について説明する。図６は、氷上に置かれた本実施形態に係るワカサギ用釣竿の側面図である。なお、第１実施形態〜第３実施形態と重複する構成については省略し、差異のある部分について説明する。
【００４１】
本実施形態のワカサギ用釣竿３１０は、図６（ａ）及び（ｂ）に示すように、スタンド足３１２が、上栓３２２に備えられた回転軸３１３によって、ワカサギ用釣竿３１０の上下方向に回転自在に取り付けられている。
【００４２】
前記構成によれば、氷１３０上のワカサギ釣において、（ａ）のように竿杆１１の後部を釣り人の手で握れば、タナ（ワカサギの群れが生息する層）に合うようにリール１６から送り出した釣糸の長さを変えることなく、ワカサギの微妙な魚信を楽しみながら釣をすることができる。そして、（ｂ）のように、他の釣竿での魚の取り込みや餌の交換などを、送り出した釣糸の長さを変えることなく、安定した状態で置き竿にすることができる。
【００４３】
さらに、前記構成によれば、（ｃ）に示すように、リール１６及び穂先部１２を取り外し、スタンド足３１２を竿杆１１の脇まで回動させることによって、収納サイズをコンパクトにすることもできる。
【００４４】
［第５実施形態］
次に、図を参照して、本発明の第５実施形態について説明する。図７は、載置面に置かれた本実施形態に係るワカサギ用釣竿の側面図である。なお、第１実施形態〜第４実施形態と重複する構成については省略し、差異のある部分について説明する。
【００４５】
本実施形態のワカサギ用釣竿４１０は、図７に示すように、図１及び図３に示す第１実施形態と図４に示す第２実施形態を合わせたものであり、氷上や、ボートの縁の幅が広い場合、その平らな載置面４３０に竿を置くときに好ましい形態である。
【００４６】
ワカサギ用釣竿４１０は、取り付けられたリール１６の前後に、上栓４２２に形成された前部スタンド４１３と、尻栓４２３に形成された後部スタンド４１４と、を備えている。
前記構成によって、ワカサギ用釣竿４１０を安定して置くことができ、また、載置した状態でハンドル１７を回転させたときに載置面４３０に当接しない高さに設定できることから、ハンドル１７の操作も容易となっている。なお、スタンドの形状については、図２に示すような台形形状や、図５に示すような高さ調節手段を有するものなどが適用でき、特に限定はされない。また、図２に示すような滑り止めを装着することもできる。
【００４７】
以上、ワカサギ釣を例として、好ましい実施の形態について説明したが、本発明は前記実施の形態に限定されるものではなく、本発明の要旨を逸脱することのない範囲内において適宜の変更が可能なものである。例えば、本実施形態では、前部スタンドや後部スタンドを台形状として説明したが、立方体や逆Ｖ字状など様々の形状を適用することも可能であり、さらには、氷上で安定させるために、先端を先鋭化させたスタンドを適用することもできる。
なお、前記したように、ワカサギ釣、ヒメマス釣及びイカダ釣の基本的な釣の形態（道具、仕掛け等）は同様であるため、以上説明したワカサギ用釣竿の実施例は、他の釣（ヒメマス釣、イカダ釣等）ついても適用できることは言うまでもない。
【図面の簡単な説明】
【００４８】
【図１】本発明の第１実施の形態に係るスタンドを備えたワカサギ用釣竿の外観斜視図である。
【図２】図１のＡ方向から本発明の第１実施の形態に係るワカサギ用釣竿を見た背面図である。
【図３】本発明の第１実施の形態に係るワカサギ用釣竿をボートの縁に置いた状態を表す側面図である。
【図４】氷上に置かれた第２実施形態に係るワカサギ用釣竿の側面図である。
【図５】本発明の第３実施形態に係るワカサギ用釣竿を図１のＡ方向から見た背面図である。
【図６】氷上に置かれた第４実施形態に係るワカサギ用釣竿の側面図である。
【図７】載置面に置かれた第５実施形態に係るワカサギ用釣竿の側面図である。
【符号の説明】
【００４９】
１０    ワカサギ用釣竿
１１    竿杆
１２    穂先部
１３    平坦部
１４    後部スタンド
１５    ガイド
１６    リール
１７    ハンドル
１８    リール取付部
１９    先端
２０    釣糸
２２    上栓
２３    尻栓
２５    錘
２６    釣針
２７    仕掛け
２９    滑り止め
３０    ボートの縁
１１０  第２実施形態に係るワカサギ用釣竿
１１３  前部スタンド
１１４  平坦部
１２２  上栓
１２３  尻栓
１３０  氷
２１０  第３実施形態に係るワカサギ用釣竿
２１２  スタンド足
２１３  接地部
２２３  尻栓
３１０  第４実施形態に係るワカサギ用釣竿
３１２  スタンド足
３１３  回転軸
３２２  上栓
Ｇ      重心位置
【図１】
2009082052.tif 000003
【図２】
2009082052.tif 000004
【図３】
2009082052.tif 000005
【図４】
2009082052.tif 000006
【図５】
2009082052.tif 000007
【図６】
2009082052.tif 000008
【図７】
2009082052.tif 000009